(57)【特許請求の範囲】
【請求項１】
高感度撮影が可能な撮像装置であって、
前記高感度撮影が行われた場合における輝度と、前記高感度撮影が行われた場合における被写体との距離とに基づいて、埋め込み強度を決定する決定手段と、
撮影者に関する情報を含む埋め込み情報を前記高感度撮影が行われた場合に得られた画像データに埋め込む埋め込み処理を、決定された埋め込み強度に基づいて行う埋め込み手段と
を有することを特徴とする撮像装置。
【請求項２】
前記画像データに人の顔が含まれているか否かを判定する判定手段を有し、
前記決定手段は、前記画像データに人の顔が含まれていると判定されたか否かに基づいて、前記埋め込み強度を決定することを特徴とする請求項１に記載の撮像装置。
【請求項３】
前記画像データに人の顔が含まれていると判定された場合、前記決定手段は、前記画像データに含まれている人の顔の大きさに基づいて、前記埋め込み強度を決定することを特徴とする請求項２に記載の撮像装置。
【請求項４】
前記画像データに人の顔が含まれていると判定された場合、前記決定手段は、前記画像データに含まれている人の顔の位置に基づいて、前記埋め込み強度を決定することを特徴とする請求項２に記載の撮像装置。
【請求項５】
前記画像データに人の顔が含まれていると判定された場合、前記決定手段は、前記画像データに含まれている人の顔の数に基づいて、前記埋め込み強度を決定することを特徴とする請求項２に記載の撮像装置。
【請求項６】
顔に関する情報を記憶する記憶手段と、
前記画像データに人の顔が含まれているか否かを判定する判定手段と
を有し、
前記決定手段は、前記記憶手段に記憶されている顔に関する情報と、前記画像データに含まれている人の顔に関する情報とに基づいて、前記埋め込み強度を決定することを特徴とする請求項１に記載の撮像装置。
【請求項７】
前記埋め込み情報は、撮影日時に相当する情報、前記撮像装置のＩＤに相当する情報、ＧＰＳに関する情報の少なくとも一つを含むことを特徴とする請求項１から６のいずれか１項に記載の撮像装置。
【請求項８】
撮影者が認証できない場合は、前記高感度撮影が選択できないように制御する制御手段を有することを特徴とする請求項１から７のいずれか１項に記載の撮像装置。
【請求項９】
高感度撮影が可能な撮像装置の制御方法であって、
前記高感度撮影が行われた場合における輝度と、前記高感度撮影が行われた場合における被写体との距離とに基づいて、埋め込み強度を決定する決定ステップと、
撮影者に関する情報を含む埋め込み情報を前記高感度撮影が行われた場合に得られた画像データに埋め込む埋め込み処理を、決定された埋め込み強度に基づいて行う埋め込みステップと
を有することを特徴とする制御方法。
【請求項１０】
高感度撮影が可能な撮像装置としてコンピュータを機能させるためのプログラムであって、
前記コンピュータを、
前記高感度撮影が行われた場合における輝度と、前記高感度撮影が行われた場合における被写体との距離とに基づいて、埋め込み強度を決定する決定手段と、
撮影者に関する情報を含む埋め込み情報を前記高感度撮影が行われた場合に得られた画像データに埋め込む埋め込み処理を、決定された埋め込み強度に基づいて行う埋め込み手段として機能させるためのプログラム。
【発明の詳細な説明】
【技術分野】
【０００１】
本発明は、撮像装置及び制御方法に関する。
【背景技術】
【０００２】
近年、急速に普及しつつあるデジタルスチルカメラは、従来の銀塩カメラが被写体像をフィルム面上に結像させ、画像を化学的にアナログ記録するのに対し、ＣＣＤセンサ等で撮像した画像をメモリカード等の記録媒体に電気的にデジタル記録するものである。
デジタルデータは、コンピュータによって容易に加工することでき、かつ、ネットワーク等を介して容易に流通させることができる。従って、このようなデジタル画像を簡単に得ることができるデジタルスチルカメラの必要性は、今後ますます大きくなるものと期待されている。
その一方で、デジタルデータは、痕跡が残らないように合成等の改ざんを行うことが容易であるため、撮影されたデジタル画像の証拠としての信頼性が問題となる場合がある。このような問題は、一般ユーザによる趣味的な撮影程度であればあまり生じないであろうが、建築現場での記録写真のように業務上、或いは法律上必要な撮影では大きな問題となってくる。
また、複製・配布が極めて容易なために画像の著作権者の権利が充分に保護されない問題もある。
従って、撮影されたデジタル画像の証拠能力を高め、著作権を保護することの可能なデジタルスチルカメラへの期待は大きい。
そのような目的で電子透かし（Ｗａｔｅｒｍａｒｋ）の技術が研究されている。
同技術では、デジタル画像・音声データ中に、人間に知覚されない別の情報を埋め込み、必要に応じて正当な資格や権利を有する者だけが埋め込んだ情報を取り出すようにすることができる。これによって、画像の証拠能力を高め、或いは著作権を保護することが可能となる。
【先行技術文献】
【特許文献】
【０００３】
【特許文献１】特開平１０−２９０３５９号公報
【特許文献２】特開平１０−１５０５１７号公報
【特許文献３】特開平８−２４１４０３号公報
【発明の概要】
【発明が解決しようとする課題】
【０００４】
ところで、画像処理の高機能化、ＣＣＤ等の撮像素子の高性能化に伴い、従来のフィルムカメラでは撮影できなかった高感度撮影可能なデジタルカメラが増えてきている。従来、高感度撮影は特殊なカメラであったり、低画質、低解像度なカメラであったりしたが、近年、多くのユーザが手軽に利用しているデジタルカメラでも高感度撮影が可能になってきた。特に、高画質、高解像度で撮影可能な一眼レフカメラにおいては、超高感度撮影が可能になってきている。
超高感度撮影では被写体が撮影されたことを気がつかないケースがあり（低照度下での撮影）、音や光等を用いて知らせることもできるが、音や光を出せない状況（天体撮影、動物撮影）もあるため、他の方法で被写体を保護する必要性が高まっている。
【０００５】
本発明はこのような問題点に鑑みなされたもので、高感度撮影画像の撮影者を特定するのを容易にすることを目的とする。
【課題を解決するための手段】
【０００６】
本発明に係る画像処理装置は、高感度撮影が可能な撮像装置であって、前記高感度撮影が行われた場合における輝度と、前記高感度撮影が行われた場合における被写体との距離とに基づいて、埋め込み強度を決定する決定手段と、撮影者に関する情報を含む埋め込み情報を前記高感度撮影が行われた場合に得られた画像データに埋め込む埋め込み処理を、決定された埋め込み強度に基づいて行う埋め込み手段とを有することを特徴とする。
本発明に係る制御方法は、高感度撮影が可能な撮像装置の制御方法であって、前記高感度撮影が行われた場合における輝度と、前記高感度撮影が行われた場合における被写体との距離とに基づいて、埋め込み強度を決定する決定ステップと、撮影者に関する情報を含む埋め込み情報を前記高感度撮影が行われた場合に得られた画像データに埋め込む埋め込み処理を、決定された埋め込み強度に基づいて行う埋め込みステップとを有することを特徴とする。
本発明に係るプログラムは、高感度撮影が可能な撮像装置としてコンピュータを機能させるためのプログラムであって、前記コンピュータを、前記高感度撮影が行われた場合における輝度と、前記高感度撮影が行われた場合における被写体との距離とに基づいて、埋め込み強度を決定する決定手段と、撮影者に関する情報を含む埋め込み情報を前記高感度撮影が行われた場合に得られた画像データに埋め込む埋め込み処理を、決定された埋め込み強度に基づいて行う埋め込み手段として機能させるためのプログラムである。
【発明の効果】
【０００７】
本発明によれば、高感度撮影画像の撮影者を特定するのを容易にすることができる。
【図面の簡単な説明】
【０００８】
【図１】電子透かし技術の原理を説明するための図（その１）である。
【図２】電子透かし技術の原理を説明するための図（その２）である。
【図３】画像処理機能を有する撮像装置の構成を示すブロック図である。
【図４】撮像装置における処理を示すフローチャートである。
【図５】電子透かしとして画像データに埋め込む、埋め込み情報（電子透かし情報）の一例を示す図である。
【図６】埋め込みモードの一例を示す図（その１）である。
【図７】埋め込みモードの一例を示す図（その２）である。
【図８】埋め込みモードの一例を示す図（その３）である。
【図９】感度設定スイッチで感度設定する動作を説明するフローチャートである。
【図１０】高感度な撮影感度も含んだ設定可能な全ての撮影感度を表示した一例を示す図である。
【図１１】予め定められた撮影感度として高感度な撮影感度を除いた設定可能な撮影感度を表示した一例を示す図である。
【発明を実施するための形態】
【０００９】
以下、本発明の実施形態について図面に基づいて説明する。
【００１０】
＜実施形態１＞
まず、電子透かし技術の原理について、デジタル情報が画像情報の場合の一手法を説明する（電子透かし技術の詳細は、特許文献１並びに特許文献２を参照）。図１及び図２は、電子透かし技術の原理を説明するための図である。
ここで、図１（ａ）は、画像情報に別の情報（埋め込み情報）を埋め込む処理の流れを示す図である。
まず、カメラ本体は、原画像（デジタル画像データ。図２の８０１）を、１ブロックがｎ画素×ｍ画素のブロック単位（図２の８０２）で複数に分割する（分割処理）。次にカメラ本体は、分割した各ブロックに離散コサイン変換（ＤＣＴ変換）等の直交変換を施し、ｎ×ｍの周波数成分行列を得る（直交変換処理）。
カメラ本体は、埋め込み情報の埋め込みに先立ち、直交変換処理で得られた周波数成分行列のどの位置に埋め込み情報を埋め込むかを示す埋め込み位置を乱数により決定する。そして、カメラ本体は、更にその周波数成分の値をどの程度変更するかを示す変更量を決定し、この埋め込み位置と変更量とを鍵情報として取得・保存しておく。
埋め込み情報を埋め込む場合、１つのブロックに対する周波数成分行列に全てを埋め込む必要はなく、複数のブロックの周波数成分行列に跨がって埋め込んでもよい。この場合、カメラ本体は、画面内のコントラストが適切なブロック群を選択する。
埋め込み位置として、カメラ本体は、例えば周波数成分行列の低周波数部分を選択することにより、人間に知覚できないように埋め込むことができる。また、カメラ本体は、変更量を変えることにより、周波数成分行列の元の値との差を変えられるため、画質の劣化を制御することができる。
カメラ本体は、前述した各ブロックの周波数成分行列の値を、鍵情報の埋め込み位置と変更量に基づいて変更することにより、埋め込み情報を埋め込む（埋め込み処理）。更に、カメラ本体は、埋め込み情報が埋め込まれた各ブロックの周波数成分行列を逆直交変換し、ｎ画素×ｍ画素の複数ブロックの画像を得る（逆直交変換処理）。最後に、カメラ本体は、逆直交変換処理で得られた複数ブロックの画像をつなぎ合わせ、埋め込み情報が埋め込まれた透かし画像を得る（再構成処理）。
【００１１】
図１（ｂ）は、透かし画像から埋め込み情報を取り出す場合の処理の流れを示す図である。
まず、カメラ本体は、透かし画像を、１ブロックがｎ画素×ｍ画素の複数ブロックに分割する（分割処理）。次に、カメラ本体は、分割した各ブロックに離散コサイン変換（ＤＣＴ変換）等の直交変換を施し、ｎ×ｍの周波数成分行列を得る（直交変換処理）。更に、カメラ本体は、埋め込む時に用いた鍵情報から埋め込み位置と変更量を得て、各ブロックの周波数成分行列から埋め込み情報を取り出す（取り出し処理）。
以上のように、電子透かし技術は、
（１）埋め込み時に用いた鍵情報がなければ埋め込み情報の取り出しができないこと
（２）鍵情報中の埋め込み情報は乱数により作成するため、固定されておらず、埋め込み情報の解読は困難なこと
（３）埋め込み位置を工夫することにより、人間が知覚できないように埋め込み情報を埋め込めること
（４）変更量を変えることにより画質の劣化の程度を制御できること
等の特徴がある。
上記の説明は、埋め込み情報を人間に知覚されない「不可視データ埋め込み」の方法を説明したが、本実施形態はこれに限定されるものではない。本実施形態において、積極的に著作権情報等を知覚可能な状態で原画像に埋め込むことで、第三者に画像の正当ではない使用を思いとどませる効果を期待した「可視データ埋め込み」という方法を採用してもよい（例えば特許文献３等参照）。
【００１２】
図３は、画像処理機能を有する撮像装置の構成を示すブロック図である。本実施の形態においては、撮像装置としてデジタルスチルカメラを例にとって説明する。なお撮像装置としては、デジタルビデオカメラ等にも、本実施形態を適用することができる。
図３に示すように、本実施の形態の撮像装置は、主に画像記録装置の一例であるカメラ本体１００と、交換レンズタイプのレンズユニット３００と、により構成されている。
なお、以下では、撮像装置の構成のうち、本実施形態等に関係する部分のみを説明し、他の部分の説明は省略する。
レンズユニット３００において、撮像レンズ３１０は、複数のレンズから成る。レンズマウント３０６は、レンズユニット３００をカメラ本体１００と機械的に結合する。レンズマウント３０６内には、レンズユニット３００をカメラ本体１００と電気的に接続する各種機能が含まれている。
絞り制御部３４０は、後述する測光制御部４６からの測光情報に基づいて、カメラ本体１００のシャッター１２を制御するシャッター制御部４０と連携しながら、絞り３１２を制御する。
レンズシステム制御回路３５０は、レンズユニット３００全体を制御するである。レンズシステム制御回路３５０は、動作用の定数、変数、プログラム等を記憶するメモリを備えている。更に、レンズシステム制御回路３５０は、レンズユニット３００固有の番号等の識別情報、管理情報、開放絞り値や最小絞り値、焦点距離等の機能情報、現在や過去の各設定値等を保持する不揮発メモリも備えている。
【００１３】
次に、カメラ本体１００において、撮像素子１４は、光学像を電気信号に変換する。
Ａ／Ｄ変換器１６は、撮像素子１４から出力されるアナログ信号をデジタル信号に変換するである。タイミング発生回路１８は、撮像素子１４、Ａ／Ｄ変換器１６、Ｄ／Ａ変換器２６にそれぞれクロック信号や制御信号を供給し、メモリ制御回路２２及びシステム制御回路５０により制御される。
画像処理回路２０は、Ａ／Ｄ変換器１６からのデータ或いはメモリ制御回路２２からのデータに対して所定の画素補間処理や色変換処理を行う。また、画像処理回路２０は、必要に応じて、Ａ／Ｄ変換器１６から出力される画像データを用いて所定の演算処理を行う。得られた演算結果に基づいてシステム制御回路５０がシャッター制御部４０、焦点調節部４２を制御するための、ＴＴＬ（スルー・ザ・レンズ）方式のオートフォーカス（ＡＦ）処理、自動露出（ＡＥ）処理、フラッシュプリ発光（ＥＦ）処理を行うことができる。更に、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。ここで、焦点調節部４２は、測距手段の一例である。
なお、本実施形態における図３に示す例では、カメラ本体１００が焦点調節部４２及び測光制御部４６を専用に備えている。従って、焦点調節部４２及び測光制御部４６を用いてＡＦ処理、ＡＥ処理、ＥＦ処理の各処理を行い、画像処理回路２０を用いたＡＦ処理、ＡＥ処理、ＥＦ処理の各処理を行わない構成としてもよい。また、焦点調節部４２及び測光制御部４６を用いてＡＦ処理、ＡＥ処理、ＥＦ処理の各処理を行い、更に、画像処理回路２０を用いたＡＦ処理、ＡＥ処理、ＥＦ処理の各処理を行う構成としてもよい。
Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
画像表示メモリ２４に書き込まれた表示用の画像データは、Ｄ／Ａ変換器２６を介して画像表示部２８により表示される。画像表示部２８を用いて、撮像した画像データを逐次表示することで、電子ビューファインダー（ＥＶＦ）機能を実現することができる。また、画像表示部２８は、システム制御回路５０の指示により任意に表示をＯＮ／ＯＦＦすることが可能であり、表示をＯＦＦにした場合にはカメラ本体１００の電力消費を大幅に低減することができる。
メモリ３０は、撮影した静止画像を格納するメモリであり、所定枚数の静止画像を格納するのに十分な記憶容量を備えている。これにより、複数枚の静止画像を連続して撮影する連写撮影やパノラマ撮影の場合にも、高速、かつ、大量の画像書き込みをメモリ３０に対して行うことができる。また、メモリ３０は、動画撮影時には、所定レートで連続的に書き込まれる画像のフレームバッファとして使用される。更に、メモリ３０は、システム制御回路５０の作業領域としても使用することができる。
【００１４】
顔検出回路３１は、入力された画像データの中から顔を検出する。顔検出には様々な方法が提案されているが、本実施形態では顔検出の方法は特に問わない。顔検出回路３１では、画像データに含まれる顔の個数、顔の位置、顔の大きさ等を顔情報として検出することができる。また、顔検出回路３１は、検出した顔情報と、記憶部の一例であるメモリ３０等に予め記憶してある顔情報と、を比較して同一人物か否かを判定することもできる。なお、このような構成をとる場合、カメラ本体１００は、ユーザ等の操作に基づき、メモリ３０等の記憶部に顔情報を登録する登録手段を機能構成として有してもよい。
シャッター制御部４０は、測光制御部４６からの測光情報に基づいて絞り３１２を制御する絞り制御部３４０と連携しながらシャッター１２を制御する。焦点調節部４２は、ＡＦ（オートフォーカス）処理を行うためのものである。
測光制御部４６は、ＡＥ（自動露出）処理を行うためのものである。測光制御部４６は、レンズユニット３００内の撮像レンズ３１０に入射した光線を、絞り３１２、レンズマウント３０６、１０６、ミラー１３０等を介して一眼レフ方式で入射することにより、光学像として結像された画像の露出状態を測定する。フラッシュ４８は、ＡＦ補助光の投光機能、フラッシュ調光機能も有する。測光制御部４６は、フラッシュ４８と連携することにより、ＥＦ（フラッシュ調光）処理機能も有する。
システム制御回路５０は、カメラ本体１００全体を制御し、周知のＣＰＵ等を内蔵する。メモリ５２は、システム制御回路５０の動作用の定数、変数、プログラム等を記憶するメモリである。
不揮発性メモリ５６は、後述するプログラム等が格納された電気的に消去・記録可能なメモリであり、例えばＥＥＰＲＯＭ等が用いられる。
感度設定スイッチ５８は、感度を設定する。
システム制御回路５０が、メモリ５２又は不揮発性メモリ５６等に記憶されているプログラムに基づき処理を実行することによって、後述するフローチャートに係る処理等が実現される。
【００１５】
図４は、撮像装置における処理を示すフローチャートである。
レリーズ処理が開始されると、ステップＳ２０１において、例えば測光制御部４６は、測光演算を行う。また、焦点調節部４２は、被写体への焦点調節を実行する。
次に、ステップＳ２０２において、例えば、画像処理回路２０及び顔検出回路３１等は、画像データの蓄積／読み出しを行う（このステップ中に画像データからの顔検出処理、画像信号処理、メモリ３０等のＲＡＭへの格納までの処理を含む）。
次に、ステップＳ２０３において、システム制御回路５０は、ユーザによる感度設定スイッチ５８を介した撮影感度の設定操作に基づいて、撮影感度設定が高感度に設定されているか否かを判定する。システム制御回路５０は、撮影感度設定が高感度に設定されている場合は、ステップＳ２０４に進み、撮影感度設定が高感度に設定されていない場合は、ステップＳ２０７に進む。
ステップＳ２０４において、システム制御回路５０は、前記顔検出処理の処理結果に基づき、画像データ中に人の顔が写っているか否かを判定する。システム制御回路５０は、前記顔検出処理の処理結果に基づき、画像データ中に人の顔が写っていると判定した場合、ステップＳ２０５に進み、前記顔検出処理の処理結果に基づき、画像データ中に人の顔が写っていないと判定すると、ステップＳ２０６に進む。
ステップＳ２０５において、システム制御回路５０は、「顔情報ありの埋め込みモード」で画像データに埋め込み情報を埋め込む処理を実行し、ステップＳ２０７に進む。ステップＳ２０６において、システム制御回路５０は、「顔情報なしの埋め込みモード」で画像データに受けこみ情報を埋め込む処理を実行し、ステップＳ２０７に進む。
図５は、電子透かしとして画像データに埋め込む、埋め込み情報（電子透かし情報）の一例を示す図である。本実施形態では、撮影者、撮影日時、カメラＩＤの各情報を埋め込むもとする。最近ではＧＰＳを搭載した撮像装置も多くなってきている。このような撮像装置ではＧＰＳ情報も埋め込み情報として利用してもよい。
図４の説明の戻り、ステップＳ２０７において、システム制御回路５０は、画像データを、メモリ制御回路２２等を介してフラッシュメモリ等に記憶し、図４に示される撮影動作を終了する。なお、フラッシュメモリへの格納前にはＪＰＥＧ等の圧縮処理がされる。また、本実施形態の撮像装置では、高感度撮影時には画像データ内に顔が認識された場合、自動的に電子透かしが埋め込まれるので、クイックレビュー時に埋め込みの有無を画像表示と併せて行うこともできる。
【００１６】
実施形態１における埋め込みモードを図６〜図８に示す。図６と図７とは「顔情報ありの埋め込みモード」である。システム制御回路５０は、画像データ内に顔が大きく写っている場合は図６に従い、小さく写っている場合は図７に従う。図８は「顔情報なしの埋め込みモード」である。図６〜図８では、撮影時の輝度情報と被写体までの距離情報とに連動して設定される電子透かしの強度（埋め込み強度）を「弱」、「中」、「強」で表している。
埋め込み強度は前述の変更量に相当し、画質を優先する場合は変更量を小さくすることで埋め込み強度が弱くなり、画質も損なわれない。逆に耐性を優先する場合には変更量を大きくすることで埋め込み強度が強くなり、その代わり画質は低下する。画質と耐性とはトレードオフの関係にある。よって、本実施形態では、顔の有無、輝度情報、距離情報から電子透かしの埋め込み強度を自動的に変更するようにしている。
本実施形態では、例えば、顔が検出されていて、被写体までの距離が遠い場合、又は輝度が暗い場合、被写体が撮影されていることを認識できていない可能性が高いとして、顔の大きさに関わらず、電子透かしの埋め込み強度を「強」に設定する仕様としている。
また、本実施形態では、顔が検出されていて、被写体までの距離が近い場合、又は輝度が明るい場合、顔の大きさを考慮して、電子透かしの埋め込み強度を設定する仕様としている。顔が大きく写っている場合、被写体は撮影されていることを認識できている可能性が高いとして、埋め込み強度は「弱」、顔が小さく写っている場合、埋め込み強度は「中」と設定する仕様としている。
また、本実施形態では、顔が検出されていない場合は、動物写真、天体写真等の可能性が高いとして、顔が検出されている場合に比べ、電子透かしの埋め込み強度を弱める仕様としている。但し、本実施形態では、被写体までの距離が遠く、輝度も暗いシーンでは電子透かしの埋め込み強度は「強」とする仕様としている。
【００１７】
ここで、ライブビュー機能を利用した撮影の場合、撮像装置は、ライブビュー中に顔検出動作を連続的に行うことができる。したがって、システム制御回路５０は、撮影された画像データでは顔が検出されていない場合でも、直前の画像データまでは顔が検出されていた場合、ステップＳ２０４の判定で、ステップＳ２０５に進むようにしてもよい。このようにすることによって、撮影された画像データでは顔が検出されていない場合でも、直前の画像データまでは顔が検出されていた場合、システム制御回路５０は、「顔情報ありの埋め込みモード」で埋め込み処理を実行することができる。
本実施形態で利用した顔情報は、顔の有無、顔の大きさである。しかしながら顔検出回路３１等において画像データから被写体の性別、被写体の年齢、画面内の顔の位置、画面内の顔の数等を顔情報として得るようにしてもよい。このようにした場合、システム制御回路５０は、性別、年齢、画面内の顔の位置、画面内の顔の数等の情報を用いて、高感度撮影時の電子透かしの埋め込み強度を決定してもよい。
本実施形態によれば撮像装置のユーザ（使用者）が高感度撮影を行った場合、撮影時の輝度、被写体までの距離、顔情報等に連動して電子透かし機能の埋め込みの有無や図５に示されるような埋め込み情報の埋め込み強度を自動的に変更することができる。しがって、本実施形態によれば高感度撮影画像の撮影者の特定を容易に行うことができる。また、本実施形態によれば高感度撮影画像を正当ではないように利用されることに対する抑止効果にもなる。
【００１８】
＜実施形態２＞
実施形態１の撮像装置は、画像データから検出される顔情報として、顔の有無、顔の大きさを用いて埋め込みモードを選択及び埋め込み情報の強度を決定するように構成した。
これに対して、予め、個人の顔情報をパラメータとして撮像装置内に覚えておき、撮影時に検出した顔情報と比較することで、電子透かしの埋め込み強度を決定するように構成してもよい。
例えば、事前に撮影する人物の画像データから顔情報を検出して、撮像装置内に登録しておく。その後、高感度撮影した画像データから顔情報が検出された場合、ステップＳ２０４の顔情報による判定ステップで、システム制御回路５０が検出した顔情報と、撮像装置内に記憶されている顔情報と、を比較する。顔情報が一致した場合、システム制御回路５０は、登録された人物なので、画像データが正当な使用ではないように使用される可能性が低いと判断してステップＳ２０６へ進む。一方、一致しない場合、システム制御回路５０は、ステップＳ２０５へ進み、埋め込み処理を行うようにしてもよい。
なお、事前に撮影する人物の画像データとして利用できるのは、高感度撮影ではない画像データに限定したり、或いは、撮像装置内に登録された顔情報の有効期間を区切ったりすることで、より適切な電子透かしの埋め込み強度を決定することができる。
本実施形態によれば、撮像装置のユーザが高感度撮影を行った場合、予め撮像装置内に登録してある顔情報と、撮影画像データから検出される顔情報と、を比較して、電子透かし機能の埋め込みの有無や埋め込み強度を自動的に変更する。このことで、高感度撮影画像のユーザの特定を容易に行うことができる。また、正当に使用される可能性が高い画像データには電子透かしを埋め込まないので、画質を劣化させないで画像データを保存可能となる。
【００１９】
＜実施形態３＞
実施形態１及び実施形態２の撮像装置は、高感度撮影時の電子透かしの埋め込み強度を、撮影時の輝度情報、被写体までの距離、顔情報を用いて決定するように構成した。電子透かしとして埋め込まれる埋め込み情報は、図５に示した項目である。
撮影日時は、従来から撮像装置が有している情報であり、日付・時刻機能から必要なデータを参照することができる。特に、ＧＰＳ機能を有するカメラであれば、ユーザによる撮影日時の変更は不可能である。
また、カメラＩＤは、工場の組み立て工程で設定される値である。カメラＩＤは、撮像装置の機種或いはメーカー間でユニークであり、ユーザによる変更は不可能である。
しかしながら、一般的に撮影者情報は、撮影者（撮像装置のユーザ又は使用者）が、任意に設定できる項目なので、埋め込み情報として埋め込んだ場合でも、他のデータよりも信憑性が劣ってしまう。
そこで、実施形態３の撮像装置では、撮影者が認証を受けなければ高感度撮影機能が有効にならないように構成した。また、実施形態３の撮像装置では、撮影者情報はユーザによる変更を不可能なように構成した。
【００２０】
図９は、感度設定スイッチで感度設定する動作を説明するフローチャートである。
システム制御回路５０は、感度設定スイッチ５８を介した撮影者の操作に基づいて、感度設定モードに遷移し、撮影者が選択可能な撮影感度を、画像表示部２８等に表示する。このとき、システム制御回路５０は、メモリ５２に格納されている撮影者情報が、認証された撮影者の撮影者情報か否かを判定する（Ｓ４０１）。システム制御回路５０は、認証された撮影者の撮影者情報の場合（Ｓ４０１においてＹｅｓ）、ステップＳ４０３に進み、高感度も含んだ設定可能な全ての撮影感度を画像表示部２８等に表示し、撮影者に選択させる（図１０）。図１０は、高感度な撮影感度も含んだ設定可能な全ての撮影感度を表示した一例を示す図である。
システム制御回路５０は、撮影者情報が格納されていない場合や、認証された撮影者の撮影者情報でない場合（Ｓ４０１においてＮｏ）、ステップＳ４０２に進み、高感度を除いた設定可能な撮影感度を画像表示部２８等に表示し、撮影者に選択させる（図１１）。図１１は、予め定められた撮影感度として高感度な撮影感度を除いた設定可能な撮影感度を表示した一例を示す図である。
ステップＳ４０４において、システム制御回路５０は、感度設定スイッチ５８を介した撮影者の操作に基づいて、撮影感度を設定する。
本実施形態における、埋め込み情報の埋め込み処理並びに、埋め込み強度の決定は、実施形態１又は実施形態２と同様である。
なお、撮影者（又は撮影者情報）の認証方法は、特に限定されるものではない。撮影者が特定でき、撮影者情報が撮像装置内の改変不可能な領域に書き込まれていることが保証されれば、撮像装置は、どのような認証方法を用いてもよい。
本実施形態によれば、高感度撮影時に埋め込まれる埋め込み情報の一つである撮影者情報の撮影者が認証されていなければ、高感度撮影を行えないように構成する。よって、高感度撮影を行うためには、撮像装置の撮影者の認証が必要であり、高感度撮影を行った場合、撮影者情報は予め認証された情報であるため、高感度撮影画像が正当な使用ではない使用をされた場合の撮影者特定が容易になり、信憑性も向上する。また、本実施形態によれば、高感度撮影画像の正当ではない使用に対する抑止効果にもなる。
【００２１】
＜その他の実施形態＞
また、上述した実施形態の目的は、上述した実施形態の機能を実現するソフトウェアのプログラムコードを、装置の中央演算処理手段（ＣＰＵやＭＰＵ）が記憶媒体から読み出し実行することによっても達成される。
また、読み出したプログラムコードの指示に基づき、オペレーティングシステム（ＯＳ）等が実際の処理の一部又は全部を行うことで上述した実施形態の機能が実現される場合も含まれる。
上述した実施形態を前記記憶媒体に適用する場合、その記憶媒体（コンピュータ読み取り可能な記憶媒体）には、先に説明したフローチャートに対応するプログラムコードが格納されることになる。
【００２２】
以上、上述した各実施形態によれば、高感度撮影画像の撮影者を特定するのを容易にすることができる。
【００２３】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００２４】
５０  システム制御回路
【図１】
0005535012.tif 000002
【図２】
0005535012.tif 000003
【図３】
0005535012.tif 000004
【図４】
0005535012.tif 000005
【図５】
0005535012.tif 000006
【図６】
0005535012.tif 000007
【図７】
0005535012.tif 000008
【図８】
0005535012.tif 000009
【図９】
0005535012.tif 000010
【図１０】
0005535012.tif 000011
【図１１】
0005535012.tif 000012